【手続補正書】
【提出日】令和1年8月13日(2019.8.13)
【手続補正１】
【補正対象書類名】明細書
【補正対象項目名】００５７
【補正方法】変更
【補正の内容】
【００５７】
強調すべきは、例示的な各種実施形態として図示されている構造及び配置構成が例示に過ぎないことである。本願の開示内容では幾つかの実施形態しか詳細に説明していないが、本願の開示内容を参酌した当業者であれば、本明細書で説明する主題の新規的な教示や利点を大幅に逸脱することなく、数多くの変更（例えば、各種構成／構成要素の大きさ、寸法、構造、形状及び比率、パラメータの数値、取付配置構成、使用材料、色、向き等）が可能であることを容易に理解できるであろう。例えば、一体的に形成されていると図示された構成／構成要素が複数の部分又は構成要素によって構築されてもよく、構成／構成要素の位置が入れ替え又は変更されてもよく、個々の構成要素又は位置の性質又は数が変化又は変更されてもよい。代替的な実施形態では、任意の処理又は方法工程の順番又は順序が変更又は並べ替えされてもよい。例示的な各種実施形態の設計、動作条件及び配置構成においてその他の置換、変更、変化及び省略がさらに、本願の範囲を逸脱しない範疇で行われてもよい。
なお、本発明は、実施の態様として以下の内容を含む。
〔態様１〕
第１の端部及び第２の端部を有するハウジングと、
前記ハウジング内で連結された複数の蓄電装置と、
前記ハウジングの前記第１の端部に枢結された第１のドアアセンブリと、
前記第１のドアアセンブリと隣り合って、前記ハウジングの前記第１の端部に枢結された第２のドアアセンブリとを備えるモジュール型の蓄電システムであって、
前記第１及び第２のドアアセンブリがそれぞれ、前記複数の蓄電装置からの熱エネルギを吸収するように冷却空気流を当該複数の蓄電装置に向かって分配及び方向付けるように構成された空気分配部材を含む、モジュール型の蓄電システム。
〔態様２〕
態様１に記載のモジュール型の蓄電システムにおいて、前記空気分配部材がそれぞれ、囲いを画定するように、略扁平なパネル、および前記略扁平なパネルに対して直交配置された複数のサイドパネルを有する、モジュール型の蓄電システム。
〔態様３〕
態様１に記載のモジュール型の蓄電システムにおいて、前記空気分配部材がそれぞれ、略扁平なパネルであって、当該略扁平なパネルの縁部に沿って配置された複数の開口部を有する略扁平なパネルを有し、前記複数の開口部が、前記冷却空気流を前記複数の蓄電装置に向かって方向付けるように構成されている、モジュール型の蓄電システム。
〔態様４〕
態様１に記載のモジュール型の蓄電システムにおいて、前記第１及び第２のドアアセンブリのそれぞれが、さらに、前記空気分配部材の外周に沿って、前記ハウジングの内部空間に向けて前記空気分配部材の外側に延設されたシュラウドを含み、当該シュラウド同士が協働して前記複数の蓄電装置と前記空気分配部材との間に延在するコールドアイル冷却領域を画定する、モジュール型の蓄電システム。
〔態様５〕
態様４に記載のモジュール型の蓄電システムにおいて、前記第１及び第２のドアアセンブリのそれぞれが、さらに、前記シュラウドの少なくとも一部に沿って延在するシールであって、前記複数の蓄電装置と前記空気分配部材との間の前記コールドアイル冷却領域を密閉するように構成されているシールを含む、モジュール型の蓄電システム。
〔態様６〕
態様１に記載のモジュール型の蓄電システムにおいて、前記第１及び第２のドアアセンブリのそれぞれが、さらに、ドアパネルであって、当該ドアパネルに設けられた第１の開口部及び第２の開口部を有するドアパネルを含む、モジュール型の蓄電システム。
〔態様７〕
態様６に記載のモジュール型の蓄電システムにおいて、前記第１及び第２のドアアセンブリのそれぞれが、さらに、前記ドアパネルに連結された冷却装置を含み、当該冷却装置が、前記冷却空気流を前記ドアパネルの前記第１の開口部を介して前記空気分配部材に供給するように構成されており、当該冷却装置が空調ユニットである、モジュール型の蓄電システム。
〔態様８〕
態様６に記載のモジュール型の蓄電システムにおいて、前記第１及び第２のドアアセンブリのそれぞれが、さらに、前記ドアパネルに連結された空気帰還ダクトを含み、当該空気帰還ダクトは、
前記ハウジング内からの帰還空気流を受け取り、且つ、
当該帰還空気流を前記ドアパネルの前記第２の開口部を介して前記ハウジングの内部空間の外に方向付けるように構成されている、モジュール型の蓄電システム。
〔態様９〕
ハウジングと、
前記ハウジング内で連結された複数の蓄電装置と、
前記ハウジングに枢結されたドアアセンブリであって、
ドアパネル、
前記ドアパネルの第１の表面に着脱自在に連結された空気分配部材、および
前記ドアパネルの前記第１の表面とは反対側の第２の表面に連結された冷却装置を含む、ドアアセンブリとを備えるモジュール型の蓄電システムであって、
前記冷却装置が、冷却空気流を前記ドアパネルを通って前記空気分配部材に供給するように構成された空調ユニットであり、
前記空気分配部材が、前記複数の蓄電装置から熱エネルギを吸収するように前記冷却空気流を前記複数の蓄電装置に向かって分配及び方向付けるように構成されている、モジュール型の蓄電システム。
〔態様１０〕
態様９に記載のモジュール型の蓄電システムにおいて、前記空気分配部材が、囲いを画定するように、略扁平なパネル、および前記略扁平なパネルに対して直交配置された複数のサイドパネルを有し、前記略扁平なパネルが前記ドアパネルからオフセットして配置されている、モジュール型の蓄電システム。
〔態様１１〕
態様９に記載のモジュール型の蓄電システムにおいて、前記空気分配部材が、略扁平なパネルであって、当該略扁平なパネルの縁部に沿って配置された複数の開口部を有する略扁平なパネルを有し、当該複数の開口部が、前記冷却空気流を前記複数の蓄電装置に向かって方向付けるように構成されている、モジュール型の蓄電システム。
〔態様１２〕
態様９に記載のモジュール型の蓄電システムにおいて、前記ドアアセンブリが、さらに、前記空気分配部材の外周に沿って、前記ハウジングの内部空間に向けて前記空気分配部材の外側に延設されたシュラウドを含み、当該シュラウドは、前記複数の蓄電装置と前記空気分配部材との間に延在するコールドアイル冷却領域を部分的に画定する、モジュール型の蓄電システム。
〔態様１３〕
態様１２に記載のモジュール型の蓄電システムにおいて、前記ドアアセンブリが、さらに、前記シュラウドの少なくとも一部に沿って延在するシールであって、前記複数の蓄電装置と前記空気分配部材との間の前記コールドアイル冷却領域を密閉するように構成されているシールを含む、モジュール型の蓄電システム。
〔態様１４〕
態様９に記載のモジュール型の蓄電システムにおいて、前記ドアパネルが、当該ドアパネルに設けられた第１の開口部及び第２の開口部を有し、前記冷却装置が、前記冷却空気流を前記ドアパネルの前記第１の開口部を介して前記空気分配部材に供給するように構成されている、モジュール型の蓄電システム。
〔態様１５〕
態様１４に記載のモジュール型の蓄電システムにおいて、前記ドアアセンブリが、さらに、前記ドアパネルに連結された空気帰還ダクトを含み、当該空気帰還ダクトは、
前記ハウジング内からの帰還空気流を受け取り、且つ、
当該帰還空気流を前記ドアパネルの前記第２の開口部を介して前記ハウジングの内部空間の外に方向付けるように構成されている、モジュール型の蓄電システム。
〔態様１６〕
ハウジングと、
前記ハウジング内で連結された複数の蓄電装置と、
前記ハウジングに枢結されたドアアセンブリであって、
ドアパネル、
前記ドアパネルの第１の表面に着脱自在に連結された空気分配部材であって、前記ドアパネルからオフセットして配置された略扁平なパネルであって、当該略扁平なパネルの縁部に沿って設けられた複数の開口部を有する略扁平なパネルを含む空気分配部材、ならびに、
前記ドアパネルの前記第１の表面とは反対側の第２の表面に連結された冷却装置を含む、ドアアセンブリとを備えるモジュール型の蓄電システムであって、
前記冷却装置が、冷却空気流を前記ドアパネルを通って前記空気分配部材に供給するように構成された空調ユニットであり、
前記空気分配部材が、前記複数の蓄電装置から熱エネルギを吸収するように前記冷却空気流を前記複数の開口部を介して当該複数の蓄電装置に向かって分配及び方向付けるように構成されている、モジュール型の蓄電システム。
〔態様１７〕
態様１６に記載のモジュール型の蓄電システムにおいて、前記ドアパネルが、当該ドアパネルに設けられた第１の開口部及び第２の開口部を有し、前記冷却装置が、前記冷却空気流を前記ドアパネルの前記第１の開口部を介して前記空気分配部材に供給するように構成されている、モジュール型の蓄電システム。
〔態様１８〕
態様１７に記載のモジュール型の蓄電システムにおいて、前記ドアアセンブリが、さらに、前記ドアパネルに連結された空気帰還ダクトを含み、当該空気帰還ダクトは、
前記ハウジング内からの帰還空気流を受け取り、且つ、
当該帰還空気流を前記ドアパネルの前記第２の開口部を介して前記ハウジングの内部空間の外に方向付けるように構成されている、モジュール型の蓄電システム。
〔態様１９〕
態様１６に記載のモジュール型の蓄電システムにおいて、前記ドアアセンブリが、さらに、前記空気分配部材の外周に沿って、前記ハウジングの内部空間に向けて前記空気分配部材の外側に延設されたシュラウドを含み、当該シュラウドは、前記複数の蓄電装置と前記空気分配部材との間に延在するコールドアイル冷却領域を部分的に画定する、モジュール型の蓄電システム。
〔態様２０〕
態様１９に記載のモジュール型の蓄電システムにおいて、前記ドアアセンブリが、さらに、前記シュラウドの縁に沿って延在するシールであって、前記複数の蓄電装置と前記空気分配部材との間の前記コールドアイル冷却領域を密閉するように構成されているシールを含む、モジュール型の蓄電システム。